(57)【要約】【課題】  動物の中でも、特に力の強いクマが収納容器を倒し壊すことによって、収納容器に収納された廃棄物や貯蔵した食料を漁ることを防ぐとともに、人にとっては容易に操作できて廃棄物や貯蔵品の出し入れができる動物対策用収納容器を提供することを目的としている。【解決手段】  本考案に係る動物対策用収納容器１は、廃棄物や貯蔵品を出し入れするための開閉手段３を備えている収納容器であって、前記開閉手段３には、開閉操作するための操作部４が設けられているとともに、前記操作部４を覆うカバー部５が取り付けられており、容器本体２には、脚部６が設けられているとともに、この脚部６に錘となる基礎用土台７が固定されている。【選択図】  図１
0003195355.tif 000002
【実用新案登録請求の範囲】
【請求項１】
廃棄物や貯蔵品を出し入れするための開閉手段を備えている収納容器であって、前記開閉手段には、開閉操作するための操作部が設けられているとともに、前記操作部を覆うカバー部が取り付けられており、容器本体には、脚部が設けられているとともに、この脚部に錘となる基礎用土台が固定されている動物対策用収納容器。
【請求項２】
前記容器本体には複数の脚部が設けられているとともに、前記脚部の二本以上が前記基礎用土台と一体的に連結されており、前記基礎用土台は平面視で前記容器本体よりも外側に大きく延出されるように形成されている、請求項１に記載の動物対策用収納容器。
【考案の詳細な説明】
【技術分野】
【０００１】
本考案は、野生のクマ等の動物が廃棄物や貯蔵品を漁ることを防ぐ動物対策用収納容器に関するものである。
【背景技術】
【０００２】
野生動物の中でもクマは、餌を求めて人の生活圏に出没することがあり、特に、北海道等のように野生のクマの生息地と人の生活圏が接近している地域においては、クマがゴミ箱の廃棄物を漁り、廃棄物が荒らされる被害が発生している。クマにとって、人が出す廃棄物の中でも生ゴミは栄養価の高い餌となり、また、ゴミ箱は探し回らずとも得られる格好の餌場となるため、クマは何度もゴミ箱を漁るようになる。それに伴い、クマが人に遭遇する確率が高くなり、人が襲われる可能性も高まるという深刻な問題がある。
【０００３】
このような問題に対して、従来、動物が鍵を開けることができない機能を有するゴミ箱が提案されており、例えば、特開２００４−２９２０９７号公報には、開閉部のロック部に、人が開閉操作できるが野生動物が開けられないように、カバー部材を取り付けた野生動物対策ゴミステーションが開示されている（特許文献１）。
【先行技術文献】
【特許文献】
【０００４】
【特許文献１】特開２００４−２９２０９７号公報
【考案の概要】
【考案が解決しようとする課題】
【０００５】
しかしながら、クマは力が強く、ゴミ箱の扉がロックされて開けられない状態であっても、ゴミ箱を倒してゴミ箱を壊すことによって廃棄物を漁ることができるため、特許文献１に記載された発明をもってしても、クマが廃棄物を漁るという問題は解消されない。
【０００６】
そこで、本考案は、このような問題点を解決するためになされたものであって、動物の中でも、特に力の強いクマが収納容器を倒し壊すことによって、収納容器に収納された廃棄物や貯蔵した食料を漁ることを防ぐとともに、人にとっては容易に操作できて廃棄物や貯蔵品の出し入れができる動物対策用収納容器を提供することを目的としている。
【課題を解決するための手段】
【０００７】
本考案に係る動物対策用収納容器は、廃棄物や貯蔵品を出し入れするための開閉手段を備えている収納容器であって、前記開閉手段には、開閉操作するための操作部が設けられているとともに、前記操作部を覆うカバー部が取り付けられており、容器本体には、脚部が設けられているとともに、この脚部に錘となる基礎用土台が固定されている。
【０００８】
そして、本考案の一態様として、前記容器本体には複数の脚部が設けられているとともに、前記脚部の二本以上が前記基礎用土台と一体的に連結されており、前記基礎用土台は平面視で前記容器本体よりも外側に大きく延出されるように形成されていてもよい。
【考案の効果】
【０００９】
本考案の動物対策用収納容器によれば、動物の中でも、特に力の強いクマが収納容器を倒し壊すことによって、収納容器に収納された廃棄物や貯蔵した食料を漁ることを防ぐとともに、人にとっては容易に操作できて廃棄物や貯蔵品の出し入れができる動物対策用収納容器を提供することを目的としている。
【図面の簡単な説明】
【００１０】
【図１】本考案に係る動物対策用収納容器の一実施形態を示す斜視図であり、（Ａ）は開閉手段が閉まっている状態を示す図であり、（Ｂ）は開閉手段である中央から左右外側に開く観音開きの扉の片方の扉が開いている状態を示す図である。
【図２】図１のカバー部の断面拡大図である。
【図３】図１の操作部の拡大図であり、（Ａ−１）は操作部のレバーが下がっている状態を示す断面図、（Ａ−２）は（Ａ−１）の裏面図、（Ｂ−１）は操作部のレバーを上げた状態を示す断面図であり、（Ｂ−２）は（Ｂ−１）の裏面図である。
【図４】本実施形態の他の実施例における動物対策用収納容器を示す斜視図である。
【考案を実施するための形態】
【００１１】
以下、本考案に係る動物対策用収納容器の一実施形態について図面を用いて説明する。
【００１２】
本実施形態の動物対策用収納容器１は、図１ないし図３に示すように、主として、廃棄物や貯蔵品を収容するための容器本体２と、この容器本体２から収容物を出し入れするための開閉手段３と、前記容器本体２の下部に設けられた脚部６と、この脚部６に固定されている基礎用土台７とで構成されている。なお、本考案において、収納容器とは、廃棄物や貯蔵品などのあらゆる物を収容しうる容器であって、業務用、家庭用、複数の住人が利用するゴミステーション用、マンション用、アパート用、戸建て住宅用等のあらゆる用途を含むものである。また、収納容器を構成する素材としては、動物から容易に破損されないものであればスチール製や樹脂製等のあらゆる素材によって構成することが可能であり、また、容器の壁が板状、網状等のあらゆる態様を含んでよい。以下、本実施形態の動物対策用収納容器１の各構成について説明する。
【００１３】
容器本体２は、ゴミ等の廃棄物や食料等の貯蔵品を収納するためのものであり、上面壁、底面壁、前面壁、背面壁および左右各側面壁により箱状に形成されており、前面壁全体が一対の扉からなる開閉手段３として構成されている。また、容器本体２の前面壁側の中央付近には、操作部４を構成する容器側係止部４４を有する係止用支柱２１が設けられている。本実施形態における容器本体２は、クマ等の動物が爪でひっかいても穴が開かず、また、中身が見えず、匂いが漏れないよう、鋼材の板で構成されているが、これに限定されるものではなく、必要に応じて適宜変更してよい。
【００１４】
開閉手段３は、廃棄物や貯蔵品を出し入れするために開閉自在に設けられており、本実施形態では、容器本体２の前面壁全体に形成された中央から左右外側に開く一対の扉が蝶番などによって観音開きするように構成されている。開閉手段３の左右の扉には、それぞれ開閉操作するための操作部４が設けられており、この操作部４は、レバー４１、連動フック４２、扉側係止部４３および容器本体２の前面壁側の中央付近に設けられた容器側係止部４４から構成されている。また、前記操作部４のレバー４１を覆うようにしてカバー部５が取り付けられている。
【００１５】
なお、本実施形態では、開閉手段３を前面壁全体を使用した一対の扉として配置したが、これに限定されるものではなく、上面壁、底面壁、前面壁、背面壁および左右各側面壁扉のいずれに設けてもよく、また、壁全体ではなく壁の一部に設けてもよい。さらに、扉は一対ではなく、片側一つでもよいし、左右にスライドする扉としてもよく、それらの形状および態様は、容器本体２の大きさや形状、収納する物の大きさや形状等に応じて適宜変更可能である。
【００１６】
操作部４は、容器本体２を動物が容易に開閉手段３を開けることができないようにするためのものであり、図３の（Ａ−１）および（Ａ−２）に示すとおり、連動フック４２の上下端のフック部分が扉側係止部４３および容器側係止部４４に係止されている。開閉手段３の扉を開ける場合は、図３の（Ｂ−１）および（Ｂ−２）に示すとおり、レバー４１を押し上げることにより、連動フック４２の上下端のフック部分を扉側係止部４３および容器側係止部４４からはずし、開閉手段３の扉を開けるようになっている。
【００１７】
なお、操作部４の構造や形状は、例えば、プッシュボタン式など、容器本体２の大きさや形状等に応じて適宜変更可能である。
【００１８】
カバー部５は、動物が操作部４を操作できないようにするためのものであり、開閉手段３の表面にレバー４１を覆うようにして取り付けられている。カバー部５は、開閉手段３の表面とカバー部５の上面部の間に、人の指は入るが、動物の手足は入らない程度の隙間を形成するように設けられている。また、カバー部５は、クマ等の動物に壊されないよう、容器本体２と同様に鋼材で構成されている。
【００１９】
なお、本実施形態においてカバー部５の形状を略長方形状としたが、開閉手段３の表面とカバー部５の上面部の間に、人の指は入るが、動物の手足は入らない程度の隙間を形成すればよく、他の形状にしてもよい。
【００２０】
脚部６は、容器本体２を支持するとともに、容器本体２を基礎用土台７に固定させるためのものであり、容器本体２の底面壁から下方に延出されている。脚部６の数は特に限定されるものではないが、安定度の観点や錘として基礎用土台７を固定する観点から複数設けることが好ましく、本実施形態では容器本体２の各隅部の４カ所に設けられている。また、各脚部６は強度確保のために複数本の鋼材を一カ所で固定する、いわゆるトラス状に構成されている。なお、脚部６の高さは設置場所や用途に応じて適宜設定することが可能であり、操作部４の位置が人にとって操作しやすい高さに設定されたり、雪が積もっても開閉手段３が開閉しやすい高さに設定されている。
【００２１】
基礎用土台７は、クマ等の動物が動物対策用収納容器１を倒すことを防ぐためのものであって、脚部６の下側に固定されている。基礎用土台７は、動物対策用収納容器１を倒すためにクマが容器本体２を前足で押すときに、基礎用土台７上にクマの後足が載るように、基礎用土台７は平面視で容器本体２よりも外側に大きく延出されるように形成されている。また、基礎用土台７はクマに倒されないような錘とするため、コンクリート等によって所望の厚さに形成されている。また、本実施形態では、製造のし易さや安定性を重視して基礎用土台７と４カ所の脚部６とを一体的に固定しているが、これに限定されるものではなく、各脚部６のそれぞれに基礎用土台７を固定してもよいし、２つ以上の脚部６を一体的に固定してもよい。
【００２２】
なお、基礎用土台７は、クマ等の動物に容器本体２が倒されないような大きさ、重さがあればよく、大きさや形状等は設置場所や容器本体２の大きさ等に応じて適宜変更可能である。
【００２３】
以上のように、本実施形態では、略長方形状の容器本体２を用いて説明したが、容器本体２の形状は、収納物の大きさや量、設置場所に応じて適宜変更してもよい。例えば、図４に示すように、容器本体２の上面壁を後方から前方にかけて低く傾斜させた形状とし、この上面壁全体を１つの扉からなる開閉手段３として構成してもよい。
【００２４】
つぎに、本実施形態に係る動物対策用収納容器１による作用について、図１ないし図３を参照しつつ説明する。
【００２５】
本実施形態の動物対策用収納容器１は通常、屋外に設置されて使用される。基礎用土台７は、地中に埋めてもよいが、地中に埋めずにそのまま地上に置いても効果を発揮する。
【００２６】
容器本体２に廃棄物や貯蔵品を入れる場合、操作部４を操作して、開閉手段３を開ける。具体的には、操作部４を操作しない状態では、図３の（Ａ−１）および（Ａ−２）に示すように、連動フック４２の上下端のフック部分が扉側係止部４３および容器側係止部４４に係止されているところ、図３の（Ｂ−１）および（Ｂ−２）に示すように、カバー部５と開閉手段３の表面の隙間に手を入れて、レバー４１を手で押し上げ、前記連動フック４２を上に移動させることにより、前記扉側係止部４３および前記容器側係止部４４に係止されていた前記連動フック４２の上下端のフック部分を前記扉側係止部４３および前記容器側係止部４４からはずし、開閉手段３の扉を開ける。レバー４１から手を離すと、連動フック４２が下に移動し、前記連動フック４２の上下端のフック部分が扉側係止部４３および容器側係止部４４に係止された状態になる。
【００２７】
そして、容器本体２に廃棄物や貯蔵品を入れた後、操作部４を操作して、開閉手段３を閉める。具体的には、開閉手段３の扉を閉める位置に戻し、図３の（Ｂ−１）および（Ｂ−２）に示すように、カバー部５と開閉手段３の表面の隙間に手を入れて、レバー４１を手で押し上げ、連動フック４２を上に移動させることにより、扉側係止部４３および容器側係止部４４に係止されていた連動フック４２の上下端のフック部分を扉側係止部４３および容器側係止部４４から一旦はずし、前記レバー４１から手を離し、前記連動フック４２を下に移動させ、前記連動フック４２の上下端のフック部分を扉側係止部４３および容器側係止部４４に係止させて開閉手段３の扉を閉める。
【００２８】
このように操作部４がカバー部５によって覆われており、操作できる隙間が狭く形成されていることにより、操作部４は、人は操作できるがクマ等の動物は操作できないため、クマ等の動物は開閉手段３を開けることができない。また、錘となる基礎用土台７があるため、力の強いクマであっても動物対策用収納容器１を倒して容器本体２を壊し、収納された廃棄物や貯蔵品を漁ることはできない。さらに、基礎用土台７があることにより、別途土台を設ける必要がなく、設置が容易となる。
【００２９】
また、本実施形態では、基礎用土台７は平面視で容器本体２よりも外側に大きく延出されるように形成されているため、クマが容器本体２を前足で押したり、体当たりするときに、基礎用土台７上にクマの後足が載ることになり、容器本体２はより倒されにくくなる。
【００３０】
以上のように、本考案によれば、動物が開けることができず、また、動物の中でも、特に力の強いクマが収納容器を倒し壊すことによって、収納容器に収納された廃棄物や食料を漁ることを防ぐとともに、人にとっては容易に操作して廃棄物や貯蔵品の出し入れができる。
【００３１】
なお、本考案に係る動物対策用収納容器１は、前述した実施形態に限定されるものではなく、適宜変更することができる。例えば、本実施形態においては、容器本体２を略長方形状としたが、円柱形状やドーム形状など、収納する物の大きさや形状、設置する場所のスペースや景観等に応じて適宜変更することができる。また、壁の素材や壁の態様も適宜変更可能である。
【符号の説明】
【００３２】
１  動物対策用収納容器
２  容器本体
２１  係止用支柱
３  開閉手段
４  操作部
４１  レバー
４２  連動フック
４３  扉側係止部
４４  容器側係止部
５  カバー部
６  脚部
７  基礎用土台
【図１】
0003195355.tif 000003
【図２】
0003195355.tif 000004
【図３】
0003195355.tif 000005
【図４】
0003195355.tif 000006